(57)【特許請求の範囲】
【請求項１】
キャビティ構造を有する無線周波数フィルタであって、
内部が中空であり、外部と遮断されるキャビティを有するハウジングと、
前記ハウジングの内部中空に位置する共振素子と、を含み、
前記ハウジングには、
前記共振素子の長さ方向の先端面と向き合うハウジング内面との間隔を外部の圧力により調節するためのシワ構造が形成され、
前記共振素子の長さ方向の先端と向き合うハウジングの面又は共振素子の長さ方向の先端面には、ハウジングと共振素子を電気的に接続してショートさせるためのピン注入用穴が設けられることを特徴とする無線周波数フィルタ。
【請求項２】
前記ハウジングは、
前記共振素子が位置する第１のケースと、前記第１のケースを覆う第２のケースを有し、
前記第１及び第２のケースは、各々の一つの母材板を利用してプレス加工で形成されることを特徴とする請求項１に記載の無線周波数フィルタ。
【請求項３】
前記共振素子は、
前記第１のケースの中央側から突出されて一体型に形成されることを特徴とする請求項２に記載の無線周波数フィルタ。
【請求項４】
前記シワ構造は、
前記共振素子の長さ方向の先端面と向き合う面に形成されることを特徴とする請求項１に記載の無線周波数フィルタ。
【請求項５】
前記シワ構造は、
前記共振素子の幅方向の先端面と向き合う面に形成されることを特徴とする請求項１に記載の無線周波数フィルタ。
【請求項６】
前記シワ構造は、
前記共振素子に形成されることを特徴とする請求項３に記載の無線周波数フィルタ。
【請求項７】
前記シワ構造は、
隣接した面の厚さより薄いことを特徴とする請求項１に記載の無線周波数フィルタ。
【請求項８】
キャビティ構造が多段で相互接続される構造である場合には、前記ハウジングが複数順次に接続され、相互順次に接続構造を有するキャビティ構造の間には、接続通路構造であるカップリングウィンドウが形成されることを特徴とする請求項１に記載の無線周波数フィルタ。
【請求項９】
前記ハウジングは、前記共振素子が位置する第１のケースと、前記第１のケースを覆う第２のケースを有し、前記シワ構造は、前記第２のケースに形成されることを特徴とする請求項１に記載の無線周波数フィルタ。
【請求項１０】
前記シワ構造は、前記第２のケースの上面及び下面にお互い会わないように交代に形成される閉ループ形態の複数の溝により形成されることを特徴とする請求項９に記載の無線周波数フィルタ。
【請求項１１】
前記第２のケースにおける前記シワ構造の付近に少なくとも一つの陥没部位を有し、前記陥没部位には外部打刻装備により複数のドットピン（ｄｏｔ ｐｅｅｎ）構造が形成されることを特徴とする請求項１０に記載の無線周波数フィルタ。
【請求項１２】
キャビティ構造を有する無線周波数フィルタであって、
内部が中空であり、外部と遮断されるキャビティを有するハウジングと、
前記ハウジングの内部中空に位置する共振素子を含み、
前記ハウジングは、前記共振素子が位置する第１のケースと、前記第１のケースを覆う第２のケースを有し、
前記第２のケースは、前記共振素子と対応する部位で、少なくとも一つの貫通スロット及び前記貫通スロットが形成されない少なくとも一つの接続地点により囲まれるように形成される押し部を含み、
前記共振素子の長さ方向の先端と向き合うハウジングの面又は共振素子の長さ方向の先端面には、ハウジングと共振素子を電気的に接続してショートさせるためのピン注入用穴が設けられることを特徴とする無線周波数フィルタ。
【請求項１３】
前記押し部は、複数の円弧形態の前記貫通スロットが複数の前記接続地点を隔てて全体的に少なくとも一つの円形を形成する構造で形成されることを特徴とする請求項１２に記載の無線周波数フィルタ。
【請求項１４】
前記押し部は、複数の前記貫通スロットにより全体的に長い棒の形態で形成され、前記棒の形態の両端に前記接続地点が形成されることを特徴とする請求項１２に記載の無線周波数フィルタ。
【請求項１５】
前記押し部は、「Ｕ」字の形態で形成される前記貫通スロット及び前記接続地点により形成されることを特徴とする請求項１２に記載の無線周波数フィルタ。
【発明の詳細な説明】
【技術分野】
【０００１】
本発明は、無線通信システムで使用される無線信号処理装置に関し、特にキャビティフィルタのように、キャビティ構造を有する無線周波数フィルタに関する。
【背景技術】
【０００２】
キャビティ構造を有する無線周波数フィルタは、通常、金属材質のハウジングを通して直方体などの収容空間、すなわち、複数のキャビティ構造を有し、各キャビティ構造内部に誘電体共振素子（ＤＲ：Ｄｉｅｌｅｃｔｒｉｃ  Ｒｅｓｏｎａｎｃｅ  Ｅｌｅｍｅｎｔ）又は金属共振棒で構成された共振素子を各々設けて超高周波の共振を発生させる。また、このようなキャビティ構造を有する無線周波数フィルタで、キャビティ構造の上部には該当キャビティ構造の開放面を遮蔽するカバーが設けられ、カバーには、該当無線周波数フィルタのフィルタリング特性をチューニングするためのチューニング構造として、複数のチューニングネジ及び該当チューニングネジを固定するためのナットが設けられる。キャビティ構造を有する無線周波数フィルタに関する一例は、本出願人により先出願された韓国公開特許公報第１０−２００４−１０００８４号（名称：無線周波数フィルタ、公開日：２００４年１２月０２日）に開示されたことがある。
【０００３】
このようなキャビティ構造を有する無線周波数フィルタは、無線通信システムで送受信無線信号の処理のために使用され、特に、移動通信システムにおける基地局や中継器などに代表的に適用される。
【０００４】
一方、移動通信システムの基地局又は中継器において、一般的に地上から高い所の柱に設置されるアンテナ装置と比べて（通常、体積が大きくて重い）基地局の本体装置は地上に設置され、アンテナ装置と本体装置との間にはケーブルを通して接続する設置方式が現在までも適用されている。しかし、このような設置方式は、アンテナ装置と本体装置との間のケーブル接続による損失問題及び本体装置の設置空間確保の問題が有り、最近は装備などが徐々に軽量化及び小型化され、本体装置も（少なくとも、一部のモジュールは）アンテナ装置の設置用の柱などに設置されてアンテナ装置と直接に接続されるか、あるいはアンテナ装置の内部に含まれる設置方式が適用されている。
【０００５】
したがって、特に、このような移動通信システムの基地局又は中継器に適用される無線周波数フィルタを製作する際に、小型化及び軽量化がさらに主要な考慮事項として台頭されている。
【０００６】
しかし、キャビティ構造を有する無線周波数フィルタでは、ハウジング内に共振素子が設けられるので、カバーとハウジングとの結合構造を基本的に有する必要が有り、軽量化及び小型化に限界があった。さらに、複数のチューニングネジ及び固定用ナットなどの結合構造は無線周波数フィルタの軽量化及び小型化に大きな制約事項になる。
【発明の概要】
【発明が解決しようとする課題】
【０００７】
従って、本発明の目的は、さらに小型化及び軽量化が可能なキャビティ構造を有する無線周波数フィルタを提供することにある。
【０００８】
本発明の他の目的は、製造が簡単で単純化された構造であるキャビティ構造を有する無線周波数フィルタを提供することにある。
【０００９】
本発明のまた他の目的は、チューニングネジ及び固定用ナットの結合構造を採用せずに周波数チューニングができるように設計できるキャビティ構造を有する無線周波数フィルタを提供することにある。
【課題を解決するための手段】
【００１０】
上記した目的を達成するために、本発明は、キャビティ構造を有する無線周波数フィルタであって、内部が中空であり、外部と遮断されるキャビティを有するハウジングと、上記ハウジングの内部中空に位置する共振素子を含み、上記ハウジングは、上記共振素子の長さ方向の先端面と向き合うハウジング内面との間隔を外部の圧力により調節するためのシワ構造を有することを特徴とする。
【００１１】
また、上記ハウジングは、上記共振素子が位置する第１のケースと、上記第１のケースを覆う第２のケースを含み、上記第１及び第２のケースのそれぞれは母材板を利用してプレス加工で形成されることを特徴とする。
【発明の効果】
【００１２】
上記した通り、本発明によるキャビティ構造を有する無線周波数フィルタは、より小型化及び軽量化が可能であり、チューニングネジ及び固定用ナットの結合構造を採用せずに周波数チューニングができるように設計されて、簡単で単純化された構造を有することができる。
【００１３】
したがって、製造が簡単で費用節減の効果が発生され、小型化及び軽量化によって基地局などのステーションに装着時に容易に設けられる長所がある。
【図面の簡単な説明】
【００１４】
【図１】本発明の第１の実施形態によるキャビティ構造を有する無線周波数フィルタの分離斜視図である。
【図２】図１の結合状態斜視図である。
【図３】図２のＡ−Ａ’部分切開斜視図である。
【図４】図２のＡ−Ａ’部分切断面図である。
【図５】本発明の第２の実施形態によるキャビティ構造を有する無線周波数フィルタの分離斜視図である。
【図６】図２の結合構造でＡ−Ａ’部分切開斜視図である。
【図７】本発明の第３の実施形態によるキャビティ構造を有する無線周波数フィルタの分離斜視図である。
【図８】図７の結合構造でＡ−Ａ’部分切開斜視図である。
【図９】本発明の第４の実施形態によるキャビティ構造を有する無線周波数フィルタの分離斜視図である。
【図１０】図９の結合状態の斜視図である。
【図１１】図１０のＡ−Ａ’部分切開斜視図である。
【図１２】本発明の変形例を例示する図である。
【図１３】本発明の変形例を例示する図である。
【図１４】本発明の変形例を例示する図である。
【図１５】本発明の変形例を例示する図である。
【図１６】本発明の第５の実施形態によるキャビティ構造を有する無線周波数フィルタの上側ケース斜視図である。
【図１７】図１６のＡ−Ａ’部分切断面図である。
【図１８】図１６の第５の実施形態による無線周波数フィルタの周波数チューニング装置の構成図である。
【図１９】本発明の第６の実施形態によるキャビティ構造を有する無線周波数フィルタの上側ケース斜視図である。
【図２０】図１９のＡ−Ａ’部分切断面図である。
【図２１】本発明の第７の実施形態によるキャビティ構造を有する無線周波数フィルタの上側ケース斜視図である。
【図２２】図２１のＡ−Ａ’部分切断面図である。
【図２３】本発明の第８の実施形態によるキャビティ構造を有する無線周波数フィルタの上側ケース斜視図である。
【図２４】図２３のＡ−Ａ’部分切断面図である。
【図２５】本発明の第９の実施形態によるキャビティ構造を有する無線周波数フィルタの上側ケース斜視図である。
【図２６】図２５のＡ−Ａ’部分切断面図である。
【発明を実施するための形態】
【００１５】
以下、本発明による望ましい実施形態を添付図面を参照して詳細に説明する。
【００１６】
図１は、本発明の第１の実施形態によるキャビティ構造を有する無線周波数フィルタの分離斜視図であり、図２は、図１の結合状態の斜視図、図３は図２のＡ−Ａ’部分切開斜視図、図４は図２のＡ−Ａ’部分切断面図である。図１乃至図４を参照すれば、本発明の第１の実施形態によるキャビティ構造を有する無線周波数フィルタは、従来のように、内部が中空であり、外部と遮断されるキャビティを有するハウジングを含み、ハウジングの内部の中空に共振素子を設ける。この時、ハウジングは、共振素子が位置する第１のケースと、第１のケースを覆う第２のケースで構成されることができる。すなわち、ハウジングは、キャビティを形成する全体ケースのうち予め設定された境界面（すなわち、接合面）を基準にして、上側に該当する部分を形成する上側ケース１０を第１のケースとして有し、上記全体ケースのうち上記境界面を基準にして下側に該当する部分を形成する下側ケース２０を第２のケースとして有する。上側及び下側ケース１０、２０は、上記境界面で半田付けや熔接などで相互接合される。
【００１７】
図１乃至図４の例では、上側ケース１０は、全体フィルタ構造からみて、上部面だけを形成するように平板の形態で形成されてカバーと類似の役割をし、下側ケース２０は、全体フィルタ構造からみて、下部面と側面を形成するもので図示されている。図１乃至図４の例では、キャビティの平面構造が全体的に円形であるので、上側及び下側ケース１０、２０の平面構造が円形で形成されることが図示されるが、この他にも、上側及び下側ケース１０、２０の平面構造は四角形の形態をはじめ、多様な形態で形成されることができることは明らかである。
【００１８】
この時、下側ケース２０には、その下部面の中央からキャビティ内部に向かって上側に聳えながら突出され、かつ、その内部は空ていながら入り口が全体ケースの外部に向かうポケット形態である突出部２０２が残りの部位と継ぎ目なしで（ｓｅａｍｌｅｓｓ）、すなわち、別途の接合面の無しで一体型で形成される。このような突出部２０２は、該当無線周波数フィルタで共振素子の役割をするようになる。このように突出部２０２を有する下側ケース２０は、例えば、アルミニウムやマグネシウム材質（合金含み）の平板の形態の母材を利用してプレス成形方式を使用して形成されることができ、特に、比較的に深さの深い突出部２０２を形成するために深絞りプレス（ｄｅｅｐ  ｄｒａｗｉｎｇ  ｐｒｅｓｓ）成形方式を使用して形成することができる。もちろん、この場合に突出部２０２のサイズは、共振素子として作用できるように該当周波数などを考慮して適切に設計される。下側ケース２０には、以後、入出力端子を接続するために突出部２０の位置を考慮して適正部位に貫通穴（図示せず）が追加で形成される。
【００１９】
上側ケース１０は、下側ケース２０と同様にアルミニウムやマグネシウム材質（合金含み）の平板の形態の母材を利用してプレス成形方式を使用して形成されることができる。このようなプレス成形時に、上側ケース１０には、下側ケース２０の共振素子に該当する突出部２０２と対応する部位に、突出部２０２の長さ方向の先端面と向き合う内面（すなわち、上側ケースの内面）との間隔を外部の圧力により調節するためのシワ構造１０２が形成される。このようなシワ構造１０２は、上下に突出される屈曲面が閉ループ形態に沿って（例えば、円形に沿って）少なくとも一つ以上形成される。図４でより明確に図示されるように、シワ構造１０２は、上側ケース１０の切断面がジグザグ形態になるように形成される。
【００２０】
シワ構造１０２は、従来のチューニングネジ及び固定用ナットの結合構造に代えるためのものであって、本発明の実施形態では、周波数チューニングの際に該当フィルタリング特性をモニターリングしながら、フィルタリング特性が最適化されるか又は基準値を満たす時まで、該当シワ構造１０２と下側ケース２０の突出部２０２の上段との距離が狭くなるように、シワ構造１０２を上側から押さえてシワの部分を伸ばす。図４のａには、初期の製作状態のシワ構造１０２が例示され、図４のｂには、シワ構造１０２が周波数チューニング作業により伸ばされた状態が例示される。
【００２１】
このように、本発明の実施形態では、シワ構造１０２を利用して周波数チューニング構造を形成することができ、このようなシワ構造１０２は、周波数チューニング作業による変形の以後に元の状態に戻らないように適切な材質、厚さ及びサイズに設定される。この時、シワ構造１０２の厚さは上側ケース１０の厚さに比べて多少薄く設定されてもよい。
【００２２】
図１乃至図４に図示されるように、本発明の第１の実施形態によるキャビティ構造を有する無線周波数フィルタを見ると、周波数チューニング構造が形成されるシワ構造１０２を有する上側ケース１０が一回のプレス成形加工を通して形成されることができ、同様に共振素子の役割をする突出部２０２を有する下側ケース２０も一回のプレス加工を通して形成されることができるので、従来のチューニングネジ及び固定用ナットの結合構造を採用した構造に比べてより簡単な構造を有し、より安価で迅速な製作が可能であり、より小型化及び軽量化が可能になる。この場合に、従来に比べて、チューニングネジを設けず、また別途の共振素子を付着する構造ではないので、キャビティを形成する内部面の不連続性によるＰＩＭＤ（Ｐａｓｓｉｖｅ  Ｉｎｔｅｒ  Ｍｏｄｕｌａｔｉｏｎ  Ｄｉｓｔｏｒｔｉｏｎ）特性を改善する作用効果も有することができる。
【００２３】
特に、本発明の上記実施形態による無線周波数フィルタ構造は、従来のチューニングネジが設けられる構造と比較して、より小型であり、より高出力に使用されることができる。チューニングネジを使用する場合には、例えば、５０Ｗの高出力に使用時にチューニングネジと共振素子との間隔を５ｍｍ以上に維持すべきである。これは、チューニングネジの縁の部位で静電容量が集中されるので、チューニングネジと共振素子との間の間隔が近いほどスパークが発生する可能性が大きくなるためである。これに比べて、本発明では、このようなチューニングネジを設けないので、従来と比較して、共振素子の上段と上側ケースとの間隔をより狭まくすることができ、高出力にもより安定に動作することができる。
【００２４】
図５は、本発明の第２の実施形態によるキャビティ構造を有する無線周波数フィルタの分離斜視図であり、図６は、図２の結合構造におけるＡ−Ａ’部分切開斜視図である。本発明の第２の実施形態による構造は、複数のキャビティ、例えば６個のキャビティ構造が多段で接続される場合を例示している。図５及び図６に図示された構造は、図１乃至図４に図示された第１の実施形態の構造が３個ずつ２行で位置して順次に接続された構造である。
【００２５】
図５及び図６を参照すれば、本発明の第２の実施形態による構造で、下側ケース２２には、その下部面の複数のキャビティに該当する位置の中央で各キャビティ内部に向かって上側に突出され、かつ、その内部が空いていながら入り口が全体ケースの外部に向かうポケット形態の複数の突出部２２２が残りの部位と継ぎ目無しで形成されて共振素子の役割をする。もちろん、このような複数の突出部２２２を有する下側ケース２２は、平板の形態の母材を利用して一回のプレス成形により形成される。この時、下側ケース２２では、それぞれのキャビティ構造が相互順次にカップリング構造を有するように、相互順次に接続構造を有するキャビティ構造間で、接続通路構造であるカップリングウィンドウ２２４が形成される。図５及び図６を参照すれば、このようなカップリングウィンドウ２２４は、キャビティ相互間の隔壁に該当する部位に、予め設定されたサイズで一定部分が除去された形態で形成されることができる。
【００２６】
上側ケース１２には、下側ケース２２の複数の突出部２２２と各々対応する部位に、上下に突出される屈曲面が閉ループ形態に沿って（例えば、円形に沿って）少なくとも一つ以上形成される複数のシワ構造１２２が形成されて、周波数チューニングのために使用される。もちろん複数のシワ構造１２２を有する上側ケース１２も一回のプレス成形により形成される。
【００２７】
また、上側ケース１２には、下側ケース２２の複数の突出部２２２と各々対応する位置に微細なサイズの伝導性ピン注入用穴１２２２が各々形成されるが、これは周波数チューニング作業時に上側ケース１２と下側ケース２２のそれぞれの突出部２２２との間を相互ショート（ｓｈｏｒｔ）させるための伝導性ピン注入のために使用される。より詳細に説明すれば、周波数チューニング方式によってそれぞれのキャビティ構造の共振素子（すなわち、突出部）別に周波数チューニング作業を順次に個別的に遂行する方式を使用することができるが、この場合に現在チューニング作業を進行中のキャビティ構造のほかの、残りのキャビティ構造における共振素子は電気的にショートされる必要がある。従って、本発明では、上記複数の伝導性ピン注入用穴１２２２を通して伝導性ピンを注入することによって、該当キャビティ構造の共振素子（突出部）をショートさせることができる。
【００２８】
一方、図５及び図６には、該当無線周波数フィルタの入力端子５２及び出力端子５４が入力端及び出力端キャビティ構造と各々接続するように下側ケース２２の側面に形成される穴を通して付着される構造が図示されている。
【００２９】
図７は、本発明の第３の実施形態によるキャビティ構造を有する無線周波数フィルタの分離斜視図であり、図８は、図７の結合構造におけるＡ−Ａ’部分の切開斜視図である。図７及び図８を参照すれば、本発明の第３の実施形態による構造は、全体的な外観形態は図１乃至図４に図示される第１の実施形態の構造と同様であるが、上側ケース１４が全体フィルタ構造からみると、上部面及び側面を含んでポケット形態のように形成され、下側ケース２４は、全体フィルタ構造で下部面に該当する面だけを形成することで図示されている。もちろん、本発明の第４の実施形態による構造でも下側ケース２４には突出部２４２が形成されて、上側ケース１４にはシワ構造１４２が形成される。
【００３０】
図７及び図８に図示された第３の実施形態の構造は、第１の実施形態の構造と比較して、上側ケース１４と下側ケース２４との間の境界面（接合面）が相異なるように設定された構造である。このような境界面は、この他にも該当無線周波数フィルタの全体構造における側面のどの位置でも適切に設定されることができ、従って、上側ケース１４及び下側ケース２４が形成されることができる。
【００３１】
図９は、本発明の第４の実施形態によるキャビティ構造を有する無線周波数フィルタの分離斜視図であり、図１０は図９の結合状態斜視図であり、図１１は、図１０のＡ−Ａ’部分切開斜視図である。本発明の第４の実施形態による構造は複数のキャビティ、例えば６個のキャビティ構造が多段で接続される場合を例示している。図９乃至図１１に図示された構造は、図７及び図９に図示された第３の実施形態の構造が３個ずつ２行に位置して順次に接続された構造である。
【００３２】
図９乃至図１１を参照すれば、本発明の第４の実施形態による構造では、全体的に平板の形態の下側ケース２６に複数のキャビティ構造に対応する複数の突出部２６２が形成され、上側ケース１６には、下側ケース２６の複数の突出部２６２と各々対応する部位に各々シワ構造１６２が形成される。この時、上側ケース１６では、それぞれのキャビティ構造が相互順次にカップリング構造を有するように、相互順次に接続構造を有するキャビティ構造間には、相互間の接続通路構造であるカップリングウィンドウ２６４が形成される。また、上側ケース１６には下側ケース２６の複数の突出部２６２と各々対応する位置に伝導性ピン注入用穴１６２２が各々形成される。
【００３３】
上記の通りに、本発明の複数の実施形態によるキャビティ構造を有する無線周波数フィルタが構成されてもよく、この他にも多様な実施例や変形例があってもよい。
【００３４】
例えば、上記の実施形態では上側ケースにシワ構造が形成されることで図示したが、精密な加工により加工公差がほとんど無くフィルタ製作が可能である場合や、精密な周波数チューニングが要求されないフィルタの場合には上記シワ構造が省略されてもよい。
【００３５】
また、図５などに図示された実施形態と同様に、複数のキャビティを有するフィルタ構造では、周波数チューニング作業のために上側ケースにおける、下側ケースの突出部と対応する位置に、両方を相互ショートさせるための伝導性ピン注入用穴を形成すると説明したが、この他にも下側ケースの突出部の上段にこのような用途の穴を形成する構造も有することができる。
【００３６】
また、図５などに図示された実施形態と同様に、複数のキャビティを有するフィルタ構造では、上側ケースにおける、該当下側ケースのカップリングウィンドウに対応する位置に、上記周波数チューニングのためのチューニング構造と類似のシワ構造を追加で形成してカップリングチューニングを遂行する構造を採用することができる。
【００３７】
また、上記の説明では、上側ケース及び下側ケースの両方がアルミニウムやマグネシウム材質で構成されると説明したが、この他にも多様な材質で構成することができ、特に、この場合に上側ケース及び下側ケースの両方を同じ材質又は相異なる材質で形成することができる。
【００３８】
また、図５などに図示されるように、特に、上側ケースが薄い平板の形態で構成される場合には、該当上側ケースはプラスチック材質で構成することもできる。もちろん、薄い平板の形態の他の形態でも上側ケース又は下側ケースはプラスチック材質で実現されることができる。
【００３９】
また、上記の説明では、上側ケースに形成されるシワ構造は下側ケースの突出部に対応する位置に形成され、例えば、平面上の中心部位に形成されると説明したが、この他にも図１２に図示した通り、シワ構造１０４は平面上の縁の部位に形成されるように構成されてもよい。すなわち、図１２に図示されたシワ構造１０４により現れる円形軌跡のサイズは、他の実施形態と比較するとより大きく形成されることが分かる。
【００４０】
また、上記の説明では、シワ構造が上側ケースに形成されると説明したが、この他にも図１３に図示した通り、下側ケースの共振素子の役割をする突出部の側面に形成されることができる。また、図１４に図示した通り、下側ケースの共振素子の役割をする突出部の幅方向の先端面と向き合うハウジング面、すなわち、全体フィルタ構造で側面に該当する部位にジャバラ（ｊａｂａｒａ）形態のシワ２０６、１０６がある構造も採用することができる。
【００４１】
また、上記の説明では、本発明の上側ケース及び下側ケースの両方がプレス成形方式により形成されると説明したが、この他にも下側ケースは従来と同一方式で実現され、上記本発明の実施形態によるシワ構造を有する上側ケースだけを特徴的に有することでも、製品の小型化及び軽量化に有利である。
【００４２】
また、本発明のまた他の実施形態では、図１５を参照すれば、上側ケースでシワ構造が形成される部位に適切な形態の突出部材１１０８が追加で形成されることができる。突出部材１１０８は、上側ケースのプレス成形時に同時に形成されるか、又は、別途に製作されてレーザ熔接などにより後で付着されることもできる。このような突出部材１１０８は、該当突出部材１１０８を直接的に、又は突出部材１１０８に形成されることができる穴などのようなキャッチング構造（ｃａｔｃｈｉｎｇ  ｓｔｒｕｃｔｕｒｅ）に別途の輪などを連結して引っ張るようにするためのものであって、これを通じて、周波数チューニング際に下側に押さえられて伸ばされたシワ構造をまた（所定の間）元の状態に戻して、周波数チューニング作業時に、より有用であり、再チューニングをすることが可能になる。
【００４３】
図１６は、本発明の第５の実施形態によるキャビティ構造を有する無線周波数フィルタのカバー役割をする上側ケース（すなわち、第２のケース）の斜視図であり、図１７は、図１６のＡ−Ａ’部分切断面図である。図１６及び図１７に図示された第５の実施形態では説明の便宜のために下側ケースに対する図示は省略した。また、図１６及び図１７に図示された第５の実施形態は図５などに図示された第２の実施形態と同様に、６個のキャビティ構造が例えば、３個ずつ２行に順次に接続された構造であり、図示された上側ケース１１はこれと対応する構造を示している。この時、図示されていない下側ケースは、図５などに図示された第２の実施形態の構造と同一の構造を有してもよく、また、その他にも、従来に従って通常的な構造のように、別途に製作される共振素子が設けられる構造を有してもよい。そのような場合には、上側ケース１１は下側ケースとネジ結合を通して結合されることができるので、そのために上側ケース１１の適所にネジ結合のためのネジ穴（図示せず）が複数形成されることができる。
【００４４】
図１６及び図１７を参照すれば、本発明の第５の実施形態による無線周波数フィルタでカバー役割をする上側ケース１１には、他の実施形態と同様に、下側ケースに設けられる複数の共振素子２１（又は、突出部）と各々対応する部位に、上下に突出される屈曲面が閉ループ形態に沿って（例えば、円形に沿って）少なくとも一つ以上形成される複数のシワ構造１１２が形成されて、周波数チューニングのために使用される。
【００４５】
しかし、第５の実施形態でシワ構造１１２は、他の実施形態では上下に突出される屈曲面の側面形態が三角形の形態の屈曲構造ではなく、四角形の形態の屈曲構造を有する。このような四角形の形態の屈曲構造を形成するために、例えば、全体的に円形である複数の溝１１２ａ、１１２ｂが上側ケース１１の上面及び下面にお互い会わないように交代に形成される。
【００４６】
このような上側ケース１１は、他の実施形態と同様に、一回のプレス成形によりシワ構造１１２を同時に形成しながら製作されることができる。また、この他にも、無線周波数フィルタのサイズなどによって、シワ構造１１２は、平板形態の上側ケース１１を製作した後に、切削加工などにより、溝１１２ａ、１１２ｂを形成して製作することがより効率的なこともある。
【００４７】
一方、図１６及び図１７を参照すれば、第５の実施形態では上側ケース１１のシワ構造１１２の付近に内部中空側にむかって凹む形態の陥没部位１１４が少なくとも一つ以上設けられることができる。
【００４８】
陥没部位１１４は、補助的又は追加的な周波数チューニングのためのものであって、補助的な周波数チューニング作業時に、陥没部位１１４に外部打刻装備の打刻ピン５０２による打刻又は押下によりドットピン構造１１４２が形成される。このようなドットピン構造１１４２は、結果的に、陥没部位１１４の下面と共振素子２１との距離が狭まくなることで（併せて、内部中空の体積が変わることにより）補助的な周波数チューニング作業をするようになる。
【００４９】
図１８を参照して、周波数チューニング装置の全体構成を説明すれば、周波数チューニング対象である本発明の上記第５の実施形態による無線周波数フィルタ１は、打刻ピン５０２を有する打刻装備５の棚に置かれる。打刻装備５は、通常的なドットピンマーキングマシンで構成することができる。無線周波数フィルタ１の動作特性は計測装備２で計測されるが、このために計測装備２は、無線周波数フィルタ１に予め設定された周波数の入力信号を提供し、無線周波数フィルタ１の出力の提供を受けるように無線周波数フィルタ１と接続する。計測装備２で計測された無線周波数フィルタ１の動作特性は、ＰＣなどで実現されることができる制御装備３に提供される。制御装備３は、無線周波数フィルタ１の動作特性をモニターリングしながら、フィルタリング特性が最適化されたり、又は基準値を満たす時まで打刻装備５の動作を制御し、打刻装備５が無線周波数フィルタ１の凹凸構造１１４の陥没面に適切な個数及び形態のドットピン構造１１４２を形成する。
【００５０】
ドットピン構造１１４２は、陥没部位１１４に複数形成されることができる。また、陥没部位１１４の厚さや陥没される範囲の幅などは、ドットピン構造１１４２が形成される周波数チューニング作業時によるストレスによって希望しない変形などが発生しないように適切に設定される。また、この場合に、陥没部位１１４の幅や厚さ又は形態などの差異によって、同一な打刻装備５で作業する場合にも相異なる可変量を表すドットピン構造１１４２が形成されることができる。このような陥没部位１１４のより具体的な詳細構造は、該当設計する無線周波数フィルタ１に要求される特性や条件などによって適切に設計されることができる。
【００５１】
図１９は、本発明の第６の実施形態によるキャビティ構造を有する無線周波数フィルタの上側ケース斜視図であり、図２０は、図１９のＡ−Ａ’部分切断面図である。図１９及び図２０に図示された第６の実施形態では説明の便宜のために下側ケースに対する図示は省略した。図示されない下側ケースは、図５などに図示された第２の実施形態の構造と同一な構造を有してもよく、この他にも、従来に従って通常的な構造のように、別途に製作される共振素子が設けられる構造を有することができる。
【００５２】
図１９及び図２０を参照すれば、本発明の第６の実施形態による無線周波数フィルタでカバー役割をする上側ケース１３には、他の実施形態と同様に、下側ケースに設けられる複数の共振素子２１（又は、突出部）と各々対応する部位で、シワ構造１３２が形成されるが、このようなシワ構造１３２は、他の実施形態とは相異なるように、平板形態の上側ケース１３の下部面が変形されず、上部面で全体的に閉ループ形態（例えば、円形）で複数の溝１３２ａ、１３２ｂが形成されて構成される。
【００５３】
また、図１９及び図２０に図示された構造は、周波数チューニング作業時に、シワ構造１３２を押さえる場合に、他の実施形態と比較して多少強い押し圧力力が要求されるので、円形の複数の溝１３２ａ、１３２ｂの間を接続する追加接続溝１３２ｃが少なくとも一つ以上追加で形成される。
【００５４】
このような上側ケース１３は、他の実施形態と同様に、一回のプレス成形を通してシワ構造１３２が同時に形成されながら製作されてもよく、この他にも上側ケース１３が製作された後に、切削加工などにより溝１３２ａ、１３２ｂ、１３２ｃが形成されて製作されてもよい。
【００５５】
図２１は、本発明の第７の実施形態によるキャビティ構造を有する無線周波数フィルタの上側ケース斜視図であり、図２２は図２１の押し部が矢印方向に押さえられる場合におけるＡ−Ａ’部分切断面図であって、説明の便宜のために下側ケースに対する図示は省略した。図２１及び図２２を参照すれば、本発明の第７の実施形態による無線周波数フィルタは、上側ケース１５には他の実施形態で構成されるシワ構造がなく、本発明の第７の実施形態によって、下側ケースに設けられる複数の共振素子２１（又は、突出部）と各々対応する部位に、予め設定された形態（例えば、円形）の押し部１５２が形成される。
【００５６】
押し部１５２は、少なくとも一つの貫通スロット１５２ａ、１５２ｂにより枠線の大部分が形成されて全体形態が形成される。この時、上記枠線のうち（上記貫通スロットが形成されない）少なくとも一つの接続地点ａ、ｂは、上記上側ケースの他の部位と接続することによって、押し部１５２を支持するようになる。すなわち、押し部１５２は貫通スロット１５２ａ、１５２ｂ及び接続地点ａ、ｂにより囲まれるようになる。
【００５７】
図２１及び図２２を参照すれば、押し部１５２は、全体的に二重構造の円形で形成されるが、符号１５２ａで示した三個の円弧形態の貫通スロットが接続地点ａを隔てて全体的に一つの円形を形成し、符号１５２ｂで示した三個の円弧形態の貫通スロットは接続地点ｂを隔てて全体的に一つの円形を形成する。本発明の他の実施形態では押し部が二重の円形ではなく、一つの円形を形成する構造や、三重構造の円形を有することができることはあきらかである。
【００５８】
このような構造で、周波数チューニング作業時に押し部１５２を押さえるようになれば、図２２に図示されるように、接続地点ａ、ｂが引張及び曲げられることなどにより、押し部１５２が下側ケースの共振素子２１側に組み込まれるようになり、このような方式で、押し部１５２と共振素子２１との間の距離調節を通して周波数チューニング作業が行われる。
【００５９】
一方、無線周波数フィルタの上側ケースに上記のような貫通スロットが形成される場合、上記貫通スロットを通して無線信号が多少漏れる場合があるが、信号漏出量が敏感に作用しない装置ではこのような構造の無線周波数フィルタを採用することを十分に考慮する。
【００６０】
図２３は、本発明の第８の実施形態によるキャビティ構造を有する無線周波数フィルタの上側ケース斜視図であり、図２４は図２３の押し部が矢印方向に押さえられる場合におけるＡ−Ａ’部分切断面図であって、説明の便宜のために下側ケースに対する図示は省略した。図２３及び図２４を参照すれば、本発明の第８の実施形態による無線周波数フィルタは上側ケース１７には図２１及び図２２に開示される第７の実施形態と類似な原理で実現される押し部１７２が設けられるが、第８の実施形態では押し部１７２の全体形態が上記第７の実施形態と異なる。
【００６１】
図２３及び図２４を参照してより詳細に説明すれば、押し部１７２は第７の実施形態と同様に、少なくとも一つの貫通スロット１７２ａ、１７ｂにより枠線の大部分が形成されることによって全体形状が形成される。この時、上記枠線のうち少なくとも一つの接続地点ａ、ｂは上側ケース１７の他の部位と接続することによって、押し部１７２を支持するようになる。この時、押し部１７２は全体的に長い棒の形態であってもよく、棒の形態の両端に接続地点ａ、ｂが形成されてもよい。
【００６２】
このような構造で、周波数チューニング作業時に押し部１７２が押さえられると、図２４に図示されるように、接続地点ａ、ｂが引張及び曲げられて、棒の形態の押し部１７２の中心部位が下側ケースの共振素子２１側に曲げられて周波数チューニング役割をするようになる。
【００６３】
図２５は、本発明の第９の実施形態によるキャビティ構造を有する無線周波数フィルタの上側ケース斜視図であり、図２６は図２５の押し部が押さえられる場合にＡ−Ａ’部分切断面図である。図２５及び図２６を参照すれば、本発明の第９の実施形態による無線周波数フィルタは上側ケース１９には、図２１乃至図２４に開示される第７及び第８の実施形態と類似な原理で実現される押し部１９２が設けられるが、第９の実施形態では押し部１９２の全体形態が他の実施形態と相異する。
【００６４】
押し部１９２は、第７及び第８の実施形態と同様に、少なくとも一つの貫通スロット１９２ａにより枠線が形成されることによって、全体的に「Ｕ」字の形態が形成される。この時、押し部１９２は、上記枠線のうち貫通スロット１９２ａが形成されない接続地点ａを通して上側ケース１９の他の部位と接続する。
【００６５】
このような構造で、周波数チューニング作業時に押し部１９２が押さえられると、図２６に図示されるように、接続地点ａが引張及び曲げられ、「Ｕ」字の形態の押し部１９２の一段が下側ケースの共振素子２１側に押下されて周波数チューニング役割をするようになる。
【００６６】
図２５及び図２６では、押し部１９２が上側ケース１９における、共振素子２１の上段と向き合う位置の中心から多少離れて、共振素子２１別に一つや２個ずつ形成されることで図示したが、このような押し部１９２の形成位置及び個数は該当フィルタの特性によって適切に設定されることができる。
【００６７】
また、図２５及び図２６では、上側ケース１９に、押し部１９２と類似の構造を有するカップリングチューニング用押し部１９４がさらに設けられることが図示されているが、カップリングチューニング用押し部１９４は、下側ケースにおけるそれぞれのキャビティ間の通路構造であるカップリングウィンドウに対応する部位に設置される。このようなカップリングチューニング用押し部１９４は、周波数チューニングのためのチューニング方式と類似の方式でカップリングチューニングの役割を遂行するようになる。
【００６８】
図１６乃至図２６に図示されるように、本発明の第５乃至第９の実施形態が形成されることができるが、上記実施形態の少なくとも一部構成は上記第１乃至第４の実施形態をはじめ他の実施形態でも同様に適用されることができる。例えば、図１６に図示されるように陥没部位は他の実施形態でも同様に適用されることができる。
【００６９】
また図２５に図示したようなカップリングチューニングのために押さえる構造も同様に他の実施形態に適用されてもよく、反対に他の実施形態の押さえる構造もカップリングチューニングのために適用されてもよい。
【００７０】
また、この他にも場合によっては、キャビティ構造が多段で接続された無線周波数フィルタで各キャビティ別に上記実施形態による構造が相異なるように適用されることができる。
【符号の説明】
【００７１】
１  無線周波数フィルタ
２  計数装備
３  制御装備
５  打刻装備
１０〜１９  上側ケース    ２０、２２、２４、２６  下側ケース
２１  共振素子
５２  入力端子
５４  出力端子
１０２、１１２、１２２、１３２、１４２、１６２  シワ構造
１０６、２０６  シワ
１１２ａ、１１２ｂ、１３２ａ、１３２ｂ、１３２ｃ  溝
１１４  陥没部位
１５２、１７２、１９２  押し部
１９４  カップリングチューニング用押し部
１５２ａ、１５２ｂ、１７２ａ、１７２ｂ、１９２ａ、１９２ｂ  貫通スロット
２０２、２２２、２４２、２６２  突出部
２２４、２６４  カップリングウィンドウ
５０２  打刻ピン
１１０８  突出部材
１１４２  ドットピン構造
１２２２、１６２２  伝導性ピン注入用穴
【図１】
0005883952.tif 000002
【図２】
0005883952.tif 000003
【図３】
0005883952.tif 000004
【図４（ａ）】
0005883952.tif 000005
【図４（ｂ）】
0005883952.tif 000006
【図５】
0005883952.tif 000007
【図６】
0005883952.tif 000008
【図７】
0005883952.tif 000009
【図８】
0005883952.tif 000010
【図９】
0005883952.tif 000011
【図１０】
0005883952.tif 000012
【図１１】
0005883952.tif 000013
【図１２】
0005883952.tif 000014
【図１３】
0005883952.tif 000015
【図１４】
0005883952.tif 000016
【図１５】
0005883952.tif 000017
【図１６】
0005883952.tif 000018
【図１７】
0005883952.tif 000019
【図１８】
0005883952.tif 000020
【図１９】
0005883952.tif 000021
【図２０】
0005883952.tif 000022
【図２１】
0005883952.tif 000023
【図２２】
0005883952.tif 000024
【図２３】
0005883952.tif 000025
【図２４】
0005883952.tif 000026
【図２５】
0005883952.tif 000027
【図２６】
0005883952.tif 000028